(57)【要約】【課題】この発明は、操作ハンドル機構がＯＮ状態のときには挿抜ハンドルの挿抜ハンドル挿入口への挿入を防止することができる安全性に優れたコントロールセンタを提供するものである。【解決手段】箱体の収納スペースのベース板の上に収納され、配線用遮断器が装備される機能ユニットを備えたコントロールセンタにおいて、前記機能ユニットは、前記配線用遮断器をＯＮ／ＯＦＦする操作ハンドル機構と、挿抜ハンドルを挿入するための挿抜ハンドル挿入口と、前記操作ハンドル機構に連結され、前記挿抜ハンドルの挿入防止部が前記操作ハンドル機構のＯＮ状態のとき前記挿抜ハンドル挿入口に被さり、前記挿抜ハンドルの前記挿抜ハンドル挿入口への挿入を阻止する保護体とを設けたものである。
2016157989.tif 000002
【特許請求の範囲】
【請求項１】
箱体の機能ユニット収納スペースのベース板の上に収納され、配線用遮断器が装備される機能ユニットを備えたコントロールセンタにおいて、前記機能ユニットは、前記配線用遮断器をＯＮ／ＯＦＦする操作ハンドル機構と、挿抜ハンドルを挿入するための挿抜ハンドル挿入口と、前記操作ハンドル機構に連結され、前記挿抜ハンドルの挿入防止部が前記操作ハンドル機構のＯＮ状態のとき前記挿抜ハンドル挿入口に被さり、前記挿抜ハンドルの前記挿抜ハンドル挿入口への挿入を阻止する保護体とを設けたことを特徴とするコントロールセンタ。
【請求項２】
箱体の機能ユニット収納スペースのベース板の上に収納され、配線用遮断器が装備される機能ユニットを備えたコントロールセンタにおいて、前記機能ユニットは、前記配線用遮断器をＯＮ／ＯＦＦする操作ハンドル機構と、第１突起体と第２突起体とを有する挿抜ハンドルを挿入するための挿抜ハンドル挿入口と、前記操作ハンドル機構に連結され、前記挿抜ハンドルの挿入防止部と下端側の係合部とを有し、前記挿入防止部が前記操作ハンドル機構のＯＮ状態のとき前記挿抜ハンドル挿入口に被さり、前記挿抜ハンドルの前記挿抜ハンドル挿入口への挿入を阻止する保護体と、前記挿抜ハンドル挿入口に設けられ、前記挿抜ハンドルの前記第１突起体が係合される係合長穴を有する挿抜用金具と、前記ベース板に形成され、前記保護体の前記係合部が係合される第１係合穴と、前記ベース板に形成され、前記挿抜ハンドルの前記第２突起体が係合される第２係合穴とを設けたことを特徴とするコントロールセンタ。
【請求項３】
前記挿抜ハンドル挿入口は、前記機能ユニットの充電部と隔離されていることを特徴とする請求項１または請求項２に記載のコントロールセンタ。
【請求項４】
前記挿抜ハンドルは、前記第１突起体の部分と前記第２突起体の部分との間に窪み部を設けたことを特徴とする請求項２に記載のコントロールセンタ。
【発明の詳細な説明】
【技術分野】
【０００１】
この発明は、コントロールセンタとして例えばモータコントロールセンタにおける機能ユニットの挿抜機構に関するものである。
【背景技術】
【０００２】
例えばモータコントロールセンタにおける機能ユニットを挿抜する際に、ジャンクションの噛み込み等で過大な操作力が必要な場合、補助ツールとして挿抜ハンドルを用いている。【０００３】
挿抜ハンドルを用いるコントロールセンタは、機能ユニットの電源がＯＦＦ状態でのみ、前面カバーである扉を開くことが可能な構造である。このような構造のコントロールセンタにおいて、挿抜ハンドルを使用する場合、扉を開いてから挿入するため、必ず機能ユニット内が電源ＯＦＦの状態となる。よって、挿抜ハンドルが充電部に接触することはなく、かつ活線状態で機能ユニットを引き出すことはない。
【先行技術文献】
【特許文献】
【０００４】
【特許文献１】特開２０１０−２３９６８５号公報
【発明の概要】
【発明が解決しようとする課題】
【０００５】
上述した従来の特許文献1に記載のコントロールセンタにおいて、機能ユニットの前面カバーが扉ではなく、固定式のパネル形態のコントロールセンタにおいては、挿抜ハンドルを挿入するための開口部が必要となる。【０００６】
この開口部には電源のＯＮ/ＯＦＦに関わらず挿抜ハンドルが挿入可能なため、活線状態で機能ユニットを引き出すことが可能である。また、挿抜ハンドル挿入口の位置により、挿抜ハンドルが活線部に接触する恐れもあり、安全性において問題点があった。【０００７】
この発明は、上記のような課題を解決するためになされたものであり、その目的は、機能ユニットにおける操作ハンドル機構がＯＮ状態のときには挿抜ハンドルの挿抜ハンドル挿入口への挿入を防止し、機能ユニットにおける操作ハンドル機構がＯＦＦ状態のときには挿抜ハンドルの挿抜ハンドル挿入口への挿入を可能とするコントロールセンタを提供するものである。
【課題を解決するための手段】
【０００８】
この発明に係わるコントロールセンタは、箱体の機能ユニット収納スペースのベース板の上に収納され、配線用遮断器が装備される機能ユニットを備えたコントロールセンタにおいて、前記機能ユニットは、前記配線用遮断器をＯＮ／ＯＦＦする操作ハンドル機構と、挿抜ハンドルを挿入するための挿抜ハンドル挿入口と、前記操作ハンドル機構に連結され、前記挿抜ハンドルの挿入防止部が前記操作ハンドル機構のＯＮ状態のとき前記挿抜ハンドル挿入口に被さり、前記挿抜ハンドルの前記挿抜ハンドル挿入口への挿入を阻止する保護体とを設けたものである。【０００９】
また、この発明に係わるコントロールセンタは、箱体の機能ユニット収納スペースのベース板の上に収納され、配線用遮断器が装備される機能ユニットを備えたコントロールセンタにおいて、前記機能ユニットは、前記配線用遮断器をＯＮ／ＯＦＦする操作ハンドル機構と、第１突起体と第２突起体とを有する挿抜ハンドルを挿入するための挿抜ハンドル挿入口と、前記操作ハンドル機構に連結され、前記挿抜ハンドルの挿入防止部と下端側の係合部とを有し、前記挿入防止部が前記操作ハンドル機構のＯＮ状態のとき前記挿抜ハンドル挿入口に被さり、前記挿抜ハンドルの前記挿抜ハンドル挿入口への挿入を阻止する保護体と、前記挿抜ハンドル挿入口に設けられ、前記挿抜ハンドルの前記第１突起体が係合される係合長穴を有する挿抜用金具と、前記ベース板に形成され、前記保護体の前記係合部が係合される第１係合穴と、前記ベース板に形成され、前記挿抜ハンドルの前記第２突起体が係合される第２係合穴とを設けたものである。
【発明の効果】
【００１０】
この発明に係わるコントロールセンタによれば、機能ユニットにおける操作ハンドル機構がＯＮ状態のときには挿抜ハンドルの挿抜ハンドル挿入口への挿入を防止し、機能ユニットにおける操作ハンドル機構がＯＦＦ状態のときには挿抜ハンドルの挿抜ハンドル挿入口への挿入を可能とする安全性に優れた機能ユニットを得ることができる。
【図面の簡単な説明】
【００１１】
【図１】この発明の実施の形態１に係わるコントロールセンタを示す斜視図である。
【図２】この発明の実施の形態１に係わるコントロールセンタの機能ユニットにおける遮断器の操作ハンドル機構がＯＦＦ状態を示す斜視図である。
【図３】この発明の実施の形態１に係わるコントロールセンタの機能ユニットにおける遮断器の操作ハンドル機構がＯＮ状態を示す斜視図である。
【図４】この発明の実施の形態1に係わるコントロールセンタの機能ユニットにおける挿抜ハンドルを示す平面図である。
【図５】この発明の実施の形態1に係わるコントロールセンタの機能ユニットにおける挿抜ハンドルを示す正面図である。
【図６】この発明の実施の形態1に係わるコントロールセンタの機能ユニットにおける保護体を示す正面図である。
【図７】この発明の実施の形態1に係わるコントロールセンタの機能ユニットにおける保護体を示す平面図である。
【図８】この発明の実施の形態1に係わるコントロールセンタの機能ユニットにおける保護体を示す側面図である。
【図９】この発明の実施の形態1に係わるコントロールセンタの機能ユニットにおける配線用遮断器と操作ハンドル機構を示す展開図である。
【図１０】この発明の実施の形態1に係わるコントロールセンタの機能ユニットにおける配線用遮断器の操作ハンドル機構がＯＦＦ状態を示す要部正面図である。
【図１１】この発明の実施の形態1に係わるコントロールセンタの機能ユニットの図１０のＡ−Ａ線における断面図である。
【図１２】この発明の実施の形態1に係わるコントロールセンタの機能ユニットの図１１のＢ−Ｂ線における断面図である。
【図１３】この発明の実施の形態１に係わるコントロールセンタの機能ユニットにおける配線用遮断器の操作ハンドル機構がＯＮ状態を示す要部正面図である。
【図１４】この発明の実施の形態１に係わるコントロールセンタの機能ユニットの図１３のＣ−Ｃ線における断面図である。
【図１５】この発明の実施の形態１に係わるコントロールセンタの機能ユニットの図１４のＤ−Ｄ線における断面図である。
【図１６】この発明の実施の形態２に係わるコントロールセンタの機能ユニットにおける保護体と挿抜ハンドル挿入口の部分を示す要部斜視図である。
【図１７】この発明の実施の形態２に係わるコントロールセンタの機能ユニットにおける保護体と挿抜ハンドル挿入口の部分を示す要部斜視図である。
【図１８】この発明の実施の形態２に係わるコントロールセンタの機能ユニットにおける保護体と挿抜ハンドル挿入口の部分を示す要部平面図である。
【図１９】この発明の実施の形態２に係わるコントロールセンタの機能ユニットにおける保護体と挿抜ハンドル挿入口の部分を示す要部斜視図である。
【図２０】この発明の実施の形態２に係わるコントロールセンタの機能ユニットにおける保護体と挿抜ハンドル挿入口の部分を示す要部平面図である。
【図２１】この発明の実施の形態２に係わるコントロールセンタの機能ユニットにおける保護体と挿抜ハンドル挿入口の部分を示す要部斜視図である。
【図２２】この発明の実施の形態２に係わるコントロールセンタの機能ユニットにおける保護体と挿抜ハンドル挿入口の部分を示す要部平面図である。
【発明を実施するための形態】
【００１２】
実施の形態１．
以下、この発明の実施の形態１を図１から図１５に基づいて説明するが、各図において、同一、または相当部材、部位については同一符号を付して説明する。図１はこの発明の実施の形態１に係わるコントロールセンタを示す斜視図である。図２はこの発明の実施の形態１に係わるコントロールセンタの機能ユニットにおける遮断器のＯＦＦ状態を示す斜視図である。図３はこの発明の実施の形態１に係わるコントロールセンタの機能ユニットにおける遮断器のＯＮ状態を示す斜視図である。図４はこの発明の実施の形態1に係わるコントロールセンタの機能ユニットにおける挿抜ハンドルを示す平面図である。図５はこの発明の実施の形態1に係わるコントロールセンタの機能ユニットにおける挿抜ハンドルを示す正面図である。図６はこの発明の実施の形態1に係わるコントロールセンタの機能ユニットにおける保護体を示す正面図である。図７はこの発明の実施の形態1に係わるコントロールセンタの機能ユニットにおける保護体を示す平面図である。図８はこの発明の実施の形態1に係わるコントロールセンタの機能ユニットにおける保護体を示す側面図である。図９はこの発明の実施の形態1に係わるコントロールセンタの機能ユニットにおける配線用遮断器と操作ハンドル機構を示す展開図である。図１０はこの発明の実施の形態1に係わるコントロールセンタの機能ユニットにおける配線用遮断器の操作ハンドル機構がＯＦＦ状態を示す要部正面図である。図１１はこの発明の実施の形態1に係わるコントロールセンタの機能ユニットの図１０のＡ−Ａ線における断面図である。図１２はこの発明の実施の形態1に係わるコントロールセンタの機能ユニットの図１１のＢ−Ｂ線における断面図である。図１３はこの発明の実施の形態１に係わるコントロールセンタの機能ユニットにおける配線用遮断器の操作ハンドル機構がＯＮ状態を示す要部正面図である。図１４はこの発明の実施の形態１に係わるコントロールセンタの機能ユニットの図１３のＣ−Ｃ線における断面図である。図１５はこの発明の実施の形態１に係わるコントロールセンタの機能ユニットの図１４のＤ−Ｄ線における断面図である。
【００１３】
これら各図において、例えばモータコントロールセンタとしての箱体１の機能ユニット収納スペース１ａに機能ユニット間に配置されたベース板８上に機能ユニット２が挿入された固持される。機能ユニット２は、機能ユニット内仕切板２ｃによって例えば上側に充電部２ａと下側に非充電部２ｂとに分かれて配置されている。
【００１４】
機能ユニット２の非充電部２ｂ側に挿抜ハンドル５の挿抜ハンドル挿入口２ｄが設けられている。挿抜ハンドル５は、例えば挿抜ハンドル基礎部５ａと、第１突起体５ｂと、第２突起体５ｃとにより構成され、第１突起体５ｂと第２突起体５ｃとの間には窪み部５ｄが設けられている。
【００１５】
機能ユニット２に配置された配線用遮断器（Ｍｏｌｄｅｄ  Ｃａｓｅ  Ｃｉｒｃｕｉｔ  Ｂｒｅａｋｅｒ、以下ＭＣＣＢと称す）９のＭＣＣＢ操作ハンドル機構４と連結される保護体６は、例えばＬ字形状を成し、ＭＣＣＢ操作ハンドル機構４がＯＮ状態のとき、機能ユニット２の挿抜ハンドル挿入口２ｄに被さる挿入防止部６ａと、ＭＣＣＢ操作ハンドル機構４との連結穴６ｂと、下方側の係合部６ｃとにより構成されている。
【００１６】
この実施の形態１においては、ＭＣＣＢ９のＭＣＣＢ操作ハンドル機構４のＯＮ動作により、ＭＣＣＢ操作ハンドル機構４に連結された保護体６の挿入防止部６ａが、機能ユニット２の挿抜ハンドル挿入口２ｄに被さることで、挿抜ハンドル５の挿入を防止する構造である。
【００１７】
ＭＣＣＢ９に取り付けられるＭＣＣＢ操作ハンドル機構４は、図９に示すように、操作取っ手４ａと、操作パネル４ｂと、取付け金具４ｃと、カム４ｄと、リンク４ｅと、取付け金具４ｆと、リンク４ｇと、リンク４ｈと、取付け金具４ｉと、ピン４ｊ，４ｋ，４ｌとにより構成されている。
【００１８】
ＭＣＣＢ９、ＭＣＣＢ操作ハンドル機構４、保護体６との構成について説明する。ＭＣＣＢ９のノブ９ａにＭＣＣＢ操作ハンドル機構４の取付け金具４ｆにガイドされてリンク４ｅが係合されている。
【００１９】
取付け金具４ｆにガイドされてリンク４ｅは、カム４ｄと係合しており、操作取っ手４ａの回動に伴うカム４ｄの回転と連動して上下に移動することになる。リンク４ｅの上下の移動により、ＭＣＣＢ９のノブ９ａのＯＮ／ＯＦＦ操作が可能となる。
【００２０】
保護体６についても、ＭＣＣＢ操作ハンドル機構４の操作取っ手４ａの回動に連動して上下に移動することになる。リンク４ｅに係合されたリンク４ｇにリンク４ｈが連結され、保護体６の連結穴６ｂがリンク４ｈに連結されている。
【００２１】
図１０から図１２はＭＣＣＢ操作ハンドル機構４の操作取っ手４ａがＯＦＦ状態にあり、ＭＣＣＢ９がＯＦＦ状態にある。このＯＦＦ状態のときは、保護体６の係合部６ｃが上方に移動してベース板８の第１係合穴８ａとの係合が解除され、保護体６の挿入防止部６ａの下端も機能ユニット２の挿抜ハンドル挿入口２ｄより上方に移動して挿抜ハンドル挿入口２ｄを開放する。これにより、挿抜ハンドル５が機能ユニット２の挿抜ハンドル挿入口２ｄに挿入することができる状態となる。
【００２２】
また、図１３から図１５はＭＣＣＢ操作ハンドル機構４の操作取っ手４ａがＯＮ状態にあり、ＭＣＣＢ９がＯＮ状態にある。このＯＮ状態のときは、ＭＣＣＢ操作ハンドル機構４の操作取っ手４ａがＯＮの位置に回動される。操作取っ手４ａの回動に連動してカム４ｄが回転し、カム４ｄの回転に伴いリンク４ｅが取付け金具４ｆにガイドされて上方に移動してＭＣＣＢ９のノブ９ａをＯＮ操作する。
【００２３】
リンク４ｅの上方への移動に伴いリンク４ｇも上方に移動し、リンク４ｇに連結されたリンク４ｈの一方側が上方側に回動してリンク４ｈの他方側が下方側に回動する。このリンク４ｈの回動に伴い、リンク４ｈの他方側に連結された保護体６が下方に移動する。保護体６の下方の移動に伴い、保護体６の係合部６ｃが下方に移動してベース板８の第１係合穴８ａと係合し、機能ユニット２が引き出せない状態とするとともに機能ユニット２の位置決めも行われる。
【００２４】
そして、保護体６の挿入防止部６ａも下方に移動して機能ユニット２の挿抜ハンドル挿入口２ｄに被さり、挿抜ハンドル５が機能ユニット２の挿抜ハンドル挿入口２ｄに挿入できない状態となる。
【００２５】
なお、機能ユニット２は機能ユニット内仕切板２ｃによって、充電部２ａと非充電部２ｂに分かれている。機能ユニット２の挿抜ハンドル挿入口２ｄは非充電部２ｂにあるため、挿抜ハンドル５を挿入しても、充電箇所に接触することはない。
【００２６】
また、ＭＣＣＢ操作ハンドル機構４がＯＮ状態では、保護体６の挿入防止部６ａは下方向に移動し、機能ユニット２の挿抜ハンドル挿入口２ｄに被さるため、挿抜ハンドル５が挿抜ハンドル挿入口２ｄに挿入できない。したがって、保護体６の存在により、ＭＣＣＢ９がＯＮ状態では挿抜ハンドル５を使用できず、活線状態での機能ユニット２の引き出しを防止することができ、安全性に優れたコントロールセンタを得ることができる。
【００２７】
このように、機能ユニット２のＭＣＣＢ操作ハンドル機構４がＯＮ状態では、機能ユニット２の引き出しが不可能であるため、活線状態での断路を防止することができる。
また、機能ユニット２のＭＣＣＢ操作ハンドル機構４がＯＮ状態では、挿抜ハンドル５の挿入が阻害されるため、過大な操作力による誤引き出しを抑制することができる。
また、機能ユニット２の挿抜ハンドル挿入口２ｄが機能ユニット２の活線部から隔離されているため、万が一において挿抜ハンドル５を挿入できても、感電することがない。
【００２８】
実施の形態２．
この発明の実施の形態２を図１６から図２２に基づいて説明するが、各図において、同一、または相当部材、部位については同一符号を付して説明する。図１６はこの発明の実施の形態２に係わるコントロールセンタの機能ユニットにおける保護体と挿抜ハンドル挿入口の部分を示す要部斜視図である。図１７はこの発明の実施の形態２に係わるコントロールセンタの機能ユニットにおける保護体と挿抜ハンドル挿入口の部分を示す要部斜視図である。図１８はこの発明の実施の形態２に係わるコントロールセンタの機能ユニットにおける保護体と挿抜ハンドル挿入口の部分を示す要部平面図である。図１９はこの発明の実施の形態２に係わるコントロールセンタの機能ユニットにおける保護体と挿抜ハンドル挿入口の部分を示す要部斜視図である。図２０はこの発明の実施の形態２に係わるコントロールセンタの機能ユニットにおける保護体と挿抜ハンドル挿入口の部分を示す要部平面図である。図２１はこの発明の実施の形態２に係わるコントロールセンタの機能ユニットにおける保護体と挿抜ハンドル挿入口の部分を示す要部斜視図である。図２２はこの発明の実施の形態２に係わるコントロールセンタの機能ユニットにおける保護体と挿抜ハンドル挿入口の部分を示す要部平面図である。
【００２９】
この実施の形態２は、ＭＣＣＢ９のＭＣＣＢ操作ハンドル機構４がＯＮ状態の時に、保護体６の係合部６ｃがベース板８の第１係合穴８ａに係合されることにより、機能ユニット２が引き出し不可能となる構造である。
【００３０】
機能ユニット２は、ＭＣＣＢ９をＯＮ／ＯＦＦするＭＣＣＢ操作ハンドル機構４と、第１突起体５ｂと第２突起体５ｃとを有する挿抜ハンドル５を挿入するための挿抜ハンドル挿入口２ｄと、ＭＣＣＢ操作ハンドル機構４に連結され、挿抜ハンドル５の挿入防止部６ａと下端側の係合部６ｃとを有し、挿入防止部６ａがＭＣＣＢ操作ハンドル機構４のＯＮ状態のとき挿抜ハンドル挿入口２ｄに被さり、挿抜ハンドル５の挿抜ハンドル挿入口２ｄへの挿入を阻止する保護体６と、挿抜ハンドル挿入口２ｄに設けられ、挿抜ハンドル５の第１突起体５ｂが係合される係合長穴７ａを有する挿抜用金具７と、ベース板８に形成され、保護体６の係合部６ｃが係合される第１係合穴８ａと、ベース板８に形成され、挿抜ハンドル５の第２突起体５ｃが係合される第２係合穴８ｂにより構成されている。
【００３１】
なお、図１６に示すように、ＭＣＣＢ操作ハンドル機構４がＯＦＦ状態では、ベース板８との保護体６の係合部６ｃは機能ユニット２の非充電部２ｂ内にあるが、挿抜ハンドル５の挿入を阻害しない。
【００３２】
ＭＣＣＢ操作ハンドル機構４をＯＮ状態にすると、図１７に示すように、保護体６が下方向に移動し、ベース板８との保護体６の係合部６ｃがベース板８に設けられた保護体６との第１係合穴８ａに入り込んで係合される。このとき、保護体６の係合部６ｃとベース板８の第１係合穴８ａの寸法関係は、例えば前後方向に裕度がない状態とする。
【００３３】
保護体６の係合部６ｃとベース板８の第１係合穴８ａとの係合により、機能ユニット２は前後方向に固定されるとともに位置決めも行われる。従って、挿抜ハンドル５を用いない場合でも、機能ユニット２は引き出し不可能とすることができる。
【００３４】
なお、保護体６ベース板８とベース板８の第１係合穴８ａとの係合と同時に、保護体６の挿入防止部６ａが機能ユニット２の挿抜ハンドル挿入口２ｄに被さるため、挿抜ハンドル５が挿入できなくなることは言うまでもない。
【００３５】
次に、機能ユニット２を引き出すためには、ＭＣＣＢ操作ハンドル機構４の操作取っ手４ａをＯＦＦの位置に回動する。このＯＦＦ状態のときは、ＭＣＣＢ９がＯＦＦ状態にある。操作取っ手４ａの回動に連動してカム４ｄが回転し、カム４ｄの回転に伴いリンク４ｅが取付け金具４ｆにガイドされて下方に移動してＭＣＣＢ９のノブ９ａをＯＦＦ操作する。
【００３６】
リンク４ｅの下方への移動に伴いリンク４ｇも下方に移動し、リンク４ｇに連結されたリンク４ｈの一方側が下方側に回動してリンク４ｈの他方側が上方側に回動する。このリンク４ｈの回動に伴い、リンク４ｈの他方側に連結された保護体６が上方に移動する。保護体６の上方の移動に伴い、保護体６の係合部６ｃが上方に移動してベース板８の第１係合穴８ａと係合が開放され、機能ユニット２が引き出せる状態となる。
【００３７】
そして、保護体６の挿入防止部６ａも上方に移動し、挿入防止部６ａの下端が機能ユニット２の挿抜ハンドル挿入口２ｄより上方に移動して被さりが解除され、挿抜ハンドル５を機能ユニット２の挿抜ハンドル挿入口２ｄに挿入できる状態となる。
【００３８】
そして、図１９に示すように、挿抜ハンドル５を機能ユニット２の挿抜ハンドル挿入口２ｄに挿入し、挿抜ハンドル５の第１突起体５ｂを機能ユニット２の挿抜ハンドル挿入口２ｄから挿抜用金具７の係合長穴７ａに係合する。続いて、挿抜ハンドル５の第２突起体５ｃをベース板８に形成された第２係合穴８ｂに係合する。
【００３９】
挿抜ハンドル５の第１突起体５ｂが挿抜用金具７の係合長穴７ａに係合し、挿抜ハンドル５の第２突起体５ｃがベース板８の第２係合穴８ｂに係合した状態で、挿抜ハンドル５の挿抜ハンドル基礎部５ａをベース板８の第２係合穴８ｂに係合した第２突起体５ｃを支点として時計方向に回動していくと、挿抜ハンドル５の第１突起体５ｂが挿抜用金具７の係合長穴７ａ内を左方向に移動していく。挿抜ハンドル５の第１突起体５ｂが挿抜用金具７の係合長穴７ａ内を左方向に移動していくことにより、機能ユニット２が前面側に引き出されていく。
【００４０】
そして、図２１および図２２に示すように、挿抜ハンドル５の挿抜ハンドル基礎部５ａを時計方向にさらに回動することにより、挿抜ハンドル５の第１突起体５ｂが挿抜用金具７の係合長穴７ａ内の左端側に移動し、機能ユニット２を前面側に引き出すことができる。
【００４１】
このように、ＭＣＣＢ操作ハンドル機構４がＯＦＦ状態のときのみ、挿抜ハンドル５を機能ユニット２の挿抜ハンドル挿入口２ｄに挿入することができ、挿抜ハンドル５の第１突起体５ｂを挿抜用金具７の係合長穴７ａに係合し、挿抜ハンドル５の第２突起体５ｃをベース板８の第２係合穴８ｂに係合した状態で、挿抜ハンドル５の挿抜ハンドル基礎部５ａをベース板８の第２係合穴８ｂに係合した第２突起体５ｃを支点として時計方向に回動することにより、機能ユニット２を引き出すことができるので、安全性に優れたコントロールセンタを得ることができる。
【００４２】
実施の形態３．
上述した実施の形態２における機能ユニット２は、ＭＣＣＢ操作ハンドル機構４がＯＦＦ状態でも、保護体６のベース板８との係合部６ｃが非充電部２ｂ内にある。そのため、ベース板８との保護体６の係合部６ｃが挿抜ハンドル５の挿入時または操作時に干渉し、動作を阻害する可能性がある。
【００４３】
図４、図５、図１９〜図２２に示すように、挿抜ハンドル５の第１突起体５ｂと第２突起体５ｃとの間に窪み部５ｄを設けており、挿抜ハンドル５の窪み部５ｄによってベース板８との保護体６の係合部６ｃとの干渉を回避することができる。以下、窪み部５ｄを設けた挿抜ハンドル５を用いた機能ユニット２の引き出し手順と窪み部５ｄの有効性について説明する。
【００４４】
挿抜ハンドル５を挿抜ハンドル挿入口２ｄから挿入し、挿抜ハンドル５の第１突起体５ｂを挿抜用金具７の係合長穴７ａに係合し、挿抜ハンドル５の第２突起体５ｃをベース板８の第２係合穴８ｂに係合する。このとき、窪み部５ｄによって挿抜ハンドル５と保護体６の係合部６ｃとは干渉していない。
【００４５】
この状態から、挿抜ハンドル５の挿抜ハンドル基礎部５ａをベース板８の第２係合穴８ｂに係合した第２突起体５ｃを支点として時計方向に回動することにより、挿抜ハンドル５の第１突起体５ｂは挿抜用金具７の係合長穴７ａ内を左に移動しながら、手前方向に押す力を発生させる。この手前方向に押す力が挿抜用金具７を介して機能ユニット２に伝わり、機能ユニット２が引き出される。挿抜ハンドル５の操作時も、ベース板８との保護体６の係合部６ｃが挿抜ハンドル５の窪み部５ｄの形状に沿うことで、干渉を回避している。
このようにして機能ユニット２を引き出すことができるので、安全性に優れたコントロールセンタを得ることができる。
【００４６】
機能ユニット２の引き出し後は、挿抜ハンドル５の第１突起体５ｂと第２突起体５ｃの差し込みを外し、挿抜ハンドル５を機能ユニット２の挿抜ハンドル挿入口２ｄから引き抜いて、操作完了となる。また、挿入手順については、引き出し手順を逆から行えばよい。
【００４７】
なお、この発明は、その発明の範囲内において、各実施の形態を自由に組み合わせたり、各実施の形態を適宜、変形、省略することが可能である。
【産業上の利用可能性】
【００４８】
この発明は、機能ユニットにおける操作ハンドル機構がＯＮ状態のときには挿抜ハンドルの挿抜ハンドル挿入口への挿入を防止し、機能ユニットにおける操作ハンドル機構がＯＦＦ状態のときには挿抜ハンドルの挿抜ハンドル挿入口への挿入を可能とする安全性に優れたコントロールセンタの実現に好適である。
【符号の説明】
【００４９】
１  箱体、１ａ  機能ユニット収納スペース、２  機能ユニット、２ａ  充電部、２ｂ非充電部、２ｃ  機能ユニット内仕切板、２ｄ  挿抜ハンドル挿入口、４  ＭＣＣＢ操作ハンドル機構、５  挿抜ハンドル、５ｂ  第１突起体、５ｃ  第２突起体、５ｄ  窪み部、６  保護体、６ａ  挿入防止部、６ｂ  連結穴、６ｃ  係合部、７  挿抜用金具、７ａ  係合長穴、８  ベース板、８ａ  第１係合穴、８ｂ  第２係合穴、９  ＭＣＣＢ。
【図１】
2016157989.tif 000003
【図２】
2016157989.tif 000004
【図３】
2016157989.tif 000005
【図４】
2016157989.tif 000006
【図５】
2016157989.tif 000007
【図６】
2016157989.tif 000008
【図７】
2016157989.tif 000009
【図８】
2016157989.tif 000010
【図９】
2016157989.tif 000011
【図１０】
2016157989.tif 000012
【図１１】
2016157989.tif 000013
【図１２】
2016157989.tif 000014
【図１３】
2016157989.tif 000015
【図１４】
2016157989.tif 000016
【図１５】
2016157989.tif 000017
【図１６】
2016157989.tif 000018
【図１７】
2016157989.tif 000019
【図１８】
2016157989.tif 000020
【図１９】
2016157989.tif 000021
【図２０】
2016157989.tif 000022
【図２１】
2016157989.tif 000023
【図２２】
2016157989.tif 000024
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
箱体の機能ユニット収納スペースのベース板の上に収納され、配線用遮断器が装備される機能ユニットを備えたコントロールセンタにおいて、前記機能ユニットは、前記配線用遮断器をＯＮ／ＯＦＦする操作ハンドル機構と、挿抜ハンドルを挿入するための挿抜ハンドル挿入口と、前記操作ハンドル機構に連結され、前記挿抜ハンドルの挿入防止部が前記操作ハンドル機構のＯＮ状態のとき前記挿抜ハンドル挿入口に被さり、前記挿抜ハンドルの前記挿抜ハンドル挿入口への挿入を阻止する保護体とを設け、前記保護体は係合部を有し、前記操作ハンドル機構のＯＮ状態のとき、前記係合部が前記ベース板に設けられた第１係合穴に入り込んで係合されることを特徴とするコントロールセンタ。
【請求項２】
箱体の機能ユニット収納スペースのベース板の上に収納され、配線用遮断器が装備される機能ユニットを備えたコントロールセンタにおいて、前記機能ユニットは、前記配線用遮断器をＯＮ／ＯＦＦする操作ハンドル機構と、第１突起体と第２突起体とを有する挿抜ハンドルを挿入するための挿抜ハンドル挿入口と、前記操作ハンドル機構に連結され、前記挿抜ハンドルの挿入防止部と下端側の係合部とを有し、前記挿入防止部が前記操作ハンドル機構のＯＮ状態のとき前記挿抜ハンドル挿入口に被さり、前記挿抜ハンドルの前記挿抜ハンドル挿入口への挿入を阻止する保護体と、前記挿抜ハンドル挿入口に設けられ、前記挿抜ハンドルの前記第１突起体が係合される係合長穴を有する挿抜用金具と、前記ベース板に形成され、前記操作ハンドル機構のＯＮ状態のとき、前記保護体の前記係合部が入り込んで係合される第１係合穴と、前記ベース板に形成され、前記挿抜ハンドルの前記第２突起体が係合される第２係合穴とを設けたことを特徴とするコントロールセンタ。
【請求項３】
前記挿抜ハンドル挿入口は、前記機能ユニットの充電部と隔離されていることを特徴とする請求項１または請求項２に記載のコントロールセンタ。
【請求項４】
前記挿抜ハンドルは、前記第１突起体の部分と前記第２突起体の部分との間に窪み部を設けたことを特徴とする請求項２に記載のコントロールセンタ。
【手続補正２】
【補正対象書類名】明細書
【補正対象項目名】０００８
【補正方法】変更
【補正の内容】
【０００８】
この発明に係わるコントロールセンタは、箱体の機能ユニット収納スペースのベース板の上に収納され、配線用遮断器が装備される機能ユニットを備えたコントロールセンタにおいて、前記機能ユニットは、前記配線用遮断器をＯＮ／ＯＦＦする操作ハンドル機構と、挿抜ハンドルを挿入するための挿抜ハンドル挿入口と、前記操作ハンドル機構に連結され、前記挿抜ハンドルの挿入防止部が前記操作ハンドル機構のＯＮ状態のとき前記挿抜ハンドル挿入口に被さり、前記挿抜ハンドルの前記挿抜ハンドル挿入口への挿入を阻止する保護体とを設け、前記保護体は係合部を有し、前記操作ハンドル機構のＯＮ状態のとき、前記係合部が前記ベース板に設けられた第１係合穴に入り込んで係合されるものである。
【手続補正３】
【補正対象書類名】明細書
【補正対象項目名】０００９
【補正方法】変更
【補正の内容】
【０００９】
また、この発明に係わるコントロールセンタは、箱体の機能ユニット収納スペースのベース板の上に収納され、配線用遮断器が装備される機能ユニットを備えたコントロールセンタにおいて、前記機能ユニットは、前記配線用遮断器をＯＮ／ＯＦＦする操作ハンドル機構と、第１突起体と第２突起体とを有する挿抜ハンドルを挿入するための挿抜ハンドル挿入口と、前記操作ハンドル機構に連結され、前記挿抜ハンドルの挿入防止部と下端側の係合部とを有し、前記挿入防止部が前記操作ハンドル機構のＯＮ状態のとき前記挿抜ハンドル挿入口に被さり、前記挿抜ハンドルの前記挿抜ハンドル挿入口への挿入を阻止する保護体と、前記挿抜ハンドル挿入口に設けられ、前記挿抜ハンドルの前記第１突起体が係合される係合長穴を有する挿抜用金具と、前記ベース板に形成され、前記操作ハンドル機構のＯＮ状態のとき、前記保護体の前記係合部が入り込んで係合される第１係合穴と、前記ベース板に形成され、前記挿抜ハンドルの前記第２突起体が係合される第２係合穴とを設けたものである。
【国際調査報告】
2016157989.tif 000025
2016157989.tif 000026
2016157989.tif 000027
2016157989.tif 000028
2016157989.tif 000029
2016157989.tif 000030
2016157989.tif 000031
2016157989.tif 000032